(57)【特許請求の範囲】
【請求項１】
左右両側の立面間に本体と引き出しとでなる引き出しキャビネットが架設されており、かつ、該キャビネットの上方にカウンターが載置されてなる収納ユニットにおける引き出しキャビネットの構造であって、
前記本体は、下部に底板を有しており、
該底板が、左右両側の受け部により前方へ引き出し可能に支持されていることを特徴とする引き出しキャビネットの構造。
【請求項２】
前記請求項１に記載の引き出しキャビネットの構造において、
前記受け部は、少なくとも縦面と上面とを有する部材であって、縦面が前記立面に取り付けられて、上面が前記底板を支持することを特徴とする引き出しキャビネットの構造。
【請求項３】
前記請求項１に記載の引き出しキャビネットの構造において、
前記本体は、左右両側に側板を有すると共に、該側板の下端部は、前記底板より下方へ延長されており、
かつ、前記引き出しは、前面に前板を有すると共に、該前板は、前記受け部の前方をほぼ覆う構成とされており、
前記受け部は、少なくとも縦面と上面とを有する部材であって、縦面が前記側板の延長部に取り付けられて、上面が前記底板を支持することを特徴とする引き出しキャビネットの構造。
【請求項４】
前記請求項２に記載の引き出しキャビネットの構造において、
前記少なくとも縦面と上面とを有する部材は、Ｌ型部材であることを特徴とする引き出しキャビネットの構造。
【請求項５】
前記請求項２から請求項４のいずれかに記載の引き出しキャビネットの構造において、
前記少なくとも縦面と上面とを有する部材は、底板の引き出し方向に沿って延びていることを特徴とする引き出しキャビネットの構造。
【請求項６】
前記請求項１に記載の引き出しキャビネットの構造において、
前記本体は、左右両側に側板を有しており、
前記受け部は、前記側板の内面に前記底板の引き出し方向に沿って設けられて、該底板の左右両側部に係合する凹溝または凸条であることを特徴とする引き出しキャビネットの構造。
【請求項７】
前記請求項１から請求項６のいずれかに記載の引き出しキャビネットの構造において、
前記本体は、後方に背板を有しており、
該背板の下部には、前方に突出する補助底板が固定されていると共に、
前記底板の後端部が、該補助底板に受支されていることを特徴とする引き出しキャビネットの構造。
【請求項８】
前記請求項１から請求項７のいずれかに記載の引き出しキャビネットの構造において、
前記底板の左右両側部が前記受け部に、固定手段を用いて補助的に固定されていることを特徴とする引き出しキャビネットの構造。
【発明の詳細な説明】
【技術分野】
【０００１】
本発明は、キッチン、リビング、玄関等に設置される収納ユニットに使用される引き出しキャビネットの構造に関し、家具の技術分野に属する。
【背景技術】
【０００２】
従来、キッチン、リビング、玄関等に設置される収納ユニットとしては、例えば特許文献１に開示のものがある。図１０に示すように、この収納ユニットは、二つのキャビネット１１０，１２０を有すると共に、両キャビネット１１０，１２０間の上下に架設された天板１３０やカウンター１４０等を介して一体化されている。
【０００３】
そして、このような収納ユニットにおいて、さらに利便性を向上させる目的で、図１０において二点鎖線で示すように、前記両キャビネット１１０，１２０間に引き出しキャビネット１５０を架設したものが要求されることがある。
【０００４】
図１１に示すように、例えばこの引き出しキャビネット１５０は、引き出し１５１と、該引き出し１５１を収納する箱状の本体１５２とを有しており、下方が開放された空間となっている。なお、引き出し１５１と本体１５２との間には、図示しないレール機構が介設されており、引き出し１５１を円滑に引き出すことができるようになっている。そして、施工時、本体１５２と両側のキャビネット１１０，１２０とは、ビス１６１で固定される。その上で、本体１５２とカウンター１４０とが固定されるが、その固定方法にはいくつかあり、例えばビス１６１で直接固定する方法や、二点鎖線で示すように、Ｌ型部材１６２を使用してビス１６１で固定する方法等がある。
【０００５】
【特許文献１】特開２０００−２７９２４４号公報
【発明の開示】
【発明が解決しようとする課題】
【０００６】
ところで、前述したいずれの方法にしても、カウンター１４０を引き出しキャビネット１５０に固定するときには、本体１５２から引き出し１５１を取り外した状態で、本体１５２の内方下方から電動ドライバ等を使用してビス１６１をねじ込むことになる。その場合、引き出しキャビネット１５０の下部を化粧したり虫やほこりの侵入を防止する目的で、本体１５２の下部に底板１５３を備える必要があるときには、該底板１５３が作業の邪魔になる。
【０００７】
そこで、この問題を解決する方策としては、例えば図１２に示すように、引き出し１５１を収納する本体１５２の底板１５３の中央部分を予めくり抜くと共に、カバー部材１５４を複数のビス１６１…１６１で底板１５３の下面に固定することにより前記くり抜き部分１５３′を閉鎖しておき、カウンター１４０の固定時には、該カバー部材１５４を取り外した上で、前記くり抜き部分１５３′を利用して、電動ドライバでビス止め作業を行なうことが考えられる。しかしながら、ビス止めされたカバー部材１５４の取外作業は面倒で、施工に手間が掛かるという問題が生じる。
【０００８】
そこで、本発明は、引き出しキャビネットを左右両側の立面間に架設したのち、このキャビネットの上方にカウンターを固定する場合に、キャビネットの本体に備えられた底板を容易に取り外し可能とすることにより、カウンターの固定作業が容易な引き出しキャビネットの構造を提供することを課題とする。
【課題を解決するための手段】
【０００９】
前記課題を解決するため、本発明は次のように構成したことを特徴とする。
【００１０】
まず、請求項１に記載の発明は、左右両側の立面間に本体と引き出しとでなる引き出しキャビネットが架設されており、かつ、該キャビネットの上方にカウンターが載置されてなる収納ユニットにおける引き出しキャビネットの構造であって、前記本体は、下部に底板を有しており、該底板が、左右両側の受け部により前方へ引き出し可能に支持されていることを特徴とする。なお、引き出しキャビネットを架設する立面とは、両側に隣接するキャビネットの側面や壁面が該当する。
【００１１】
次に、請求項２に記載の発明は、前記請求項１に記載の引き出しキャビネットの構造において、前記受け部は、少なくとも縦面と上面とを有する部材であって、縦面が前記立面に取り付けられて、上面が前記底板を支持することを特徴とする。
【００１２】
また、請求項３に記載の発明は、前記請求項１に記載の引き出しキャビネットの構造において、前記本体は、左右両側に側板を有すると共に、該側板の下端部は、前記底板より下方へ延長されており、かつ、前記引き出しは、前面に前板を有すると共に、該前板は、前記受け部の前方をほぼ覆う構成とされており、前記受け部は、少なくとも縦面と上面とを有する部材であって、縦面が前記側板の延長部に取り付けられて、上面が前記底板を支持することを特徴とする。
【００１３】
また、請求項４に記載の発明は、前記請求項２に記載の引き出しキャビネットの構造において、前記少なくとも縦面と上面とを有する部材は、Ｌ型部材であることを特徴とする。
【００１４】
また、請求項５に記載の発明は、前記請求項２から請求項４のいずれかに記載の引き出しキャビネットの構造において、前記少なくとも縦面と上面とを有する部材は、底板の引き出し方向に沿って延びていることを特徴とする。
【００１５】
一方、請求項６に記載の発明は、前記請求項１に記載の引き出しキャビネットの構造において、前記本体は、左右両側に側板を有しており、前記受け部は、前記側板の内面に前記底板の引き出し方向に沿って設けられて、該底板の左右両側部に係合する凹溝または凸条であることを特徴とする。
【００１６】
また、請求項７に記載の発明は、前記請求項１から請求項６のいずれかに記載の引き出しキャビネットの構造において、前記本体は、後方に背板を有しており、該背板の下部には、前方に突出する補助底板が固定されていると共に、前記底板の後端部が、該補助底板に受支されていることを特徴とする。
【００１７】
そして、請求項８に記載の発明は、前記請求項１から請求項７のいずれかに記載の引き出しキャビネットの構造において、前記底板の左右両側部が前記受け部に、固定手段を用いて補助的に固定されていることを特徴とする。なお、この場合の固定は、前述したカバー部材の取り付けや取り外しのように多数のビスを扱うものではなく、少数のビスを使用するだけで事足りるような補助的なものである。
【発明の効果】
【００１８】
まず、請求項１に記載の発明によれば、底板は、受け部により前方へ引き出し可能に支持されているので、カウンターの固定時には底板を容易に取り外して本体の内方下方に広いスペースを形成することができ、もってカウンターの固定作業が容易となる。そして、カウンターの固定後に、再び本体に底板を取り付ける作業も容易である。
【００１９】
次に、請求項２に記載の発明によれば、受け部を、縦面が前記立面に取り付けられて、上面が底板を支持する部材で構成するので、該部材により底板を含む本体を良好に支持することができる。
【００２０】
また、請求項３に記載の発明によれば、受け部を、縦面が側板に設けられた延長部に取り付けられて、上面が底板を支持する部材で構成し、該部材の前方を引き出しの前板で覆う構成とするので、外観的に該部材が見え難くなって、見栄えの向上を図ることができる。
【００２１】
また、請求項４に記載の発明によれば、Ｌ型部材は、強度があって厚みが薄いことから、外観的に目立たなくなって、さらなる見栄えの向上を図ることができる。さらに、形状が単純で既製の部品であるＬ型部材を使用することができ、コストの高騰を回避することができる。
【００２２】
また、請求項５に記載の発明によれば、前記少なくとも縦面と上面とを有する部材は、底板の引き出し方向に沿って延びているので、底板を前後に安定して移動させることができ、底板の取り外しや取り付けを円滑に行なうことができる。すなわち、前記部材の上面に支持された底板を滑らせて、前方に引き出す際や後方に押し込む際に、底板が該部材から脱落することがなく、また、底板の重量を該部材が持続して受け止めることができるので、底板を小さい力で移動させることができる。
【００２３】
一方、請求項６に記載の発明によれば、本体の側板に設けられた凹溝や凸条が受け部を構成するので、該凹溝や凸条により、底板を良好に支持することができる。そして、該凹溝や凸条が、底板の引き出し方向に沿って延びているので、底板を滑らせて、前方に引き出す際や後方に押し込む際に、底板が該凹溝や凸条から脱落することがなく、また、底板の重量を該凹溝や凸条が持続して受け止めることができるので、底板を小さい力で移動させることができる。さらに、部品点数の増加を招くことはなく、もってコストの高騰が回避される。
【００２４】
また、請求項７に記載の発明によれば、受け部で底板を左右両側から支持した上で、背板の下部から前方に突出する補助底板で底板の後端部を支持するので、施工後の底板は、３辺を介して本体内に安定して支持される。
【００２５】
そして、請求項８に記載の発明によれば、底板の左右両側部と受け部とは、固定されているので、カウンターを固定するときの作業性をいたずらに損なうことなく、施工後の底板の脱落や意に反した移動が効果的に防止される。
【発明を実施するための最良の形態】
【００２６】
以下、本発明の実施の形態に係る収納ユニットについて説明する。
【００２７】
図１に示すように、この収納ユニット１は、キッチンに設置されるもので、図例上左側の背の高い食器棚２と、壁面Ｗに取り付けられたウォールキャビネット３と、前記食器棚２の右側の低い位置に設置された第１及び第２ベースキャビネット４，５と、これら両ベースキャビネット４，５の上面に載置されたカウンター６とを有している。
【００２８】
すなわち、食器棚２は、上部が２段の開き戸タイプ、下部が５段の引き出しタイプのものである。ウォールキャビネット３は、開き戸タイプのものである。第１ベースキャビネット４は、４段の引き出しタイプのものである。そして、本発明の特徴部分である第２ベースキャビネット５は、１段の引き出しタイプのもので、下方が開放された空間となっている。
【００２９】
第２ベースキャビネット５について詳しく説明すると、図２及び図３に示すように、この第２ベースキャビネット５は、箱状の本体１０と該本体１０に収納される引き出し２０とを有している。
【００３０】
本体１０は、左右一対の側板１１，１１と、両側板１１，１１間の下方に架設された底板１２と、両側板１１，１１間の後方に架設された背板１３と、両側板１１，１１間の前方上方に架設された桟木１４とを有しており、前面と上面とが開口されている。そして、本体１０は、複数のビス３１Ａ…３１Ａで左右両側の食器棚２及び第１ベースキャビネット４の側面２ａ，４ａ間に架設されている。
【００３１】
その場合、背板１３の下部には、前方に突出する補助底板１５が固定されている。すなわち、背板１３の下端部に設けられた突条１３ａが、補助底板１５の後方に設けられた凹溝１５ａに嵌り込んでおり、さらに、補助底板１５は、該補助底板１５に設けられた図示しないダボと両側板１１，１１に設けられた同じく図示しないダボ穴との嵌合を介して、両側板１１，１１間の後方に架設されている。また、底板１２の後端部が補助底板１５の前端部に受支されるように、底板１２の後端部は下方から切り欠かれて、切欠部１２ａが形成されており、一方、補助底板１５の前端部は上方から切り欠かれて、切欠部１５ｂが形成されている。
【００３２】
そして、左右両側の食器棚２及び第１ベースキャビネット４の側面２ａ，４ａには、本体１０の直下方の箇所に、鋼製のＬ型部材３２，３２が複数のビス３１Ｂ…３１Ｂで取り付けられている。すなわち、Ｌ型部材３２は、本体１０の前面近傍から補助底板１５の前端部近傍まで延びており、縦面３２ａが左右両側の食器棚２及び第１ベースキャビネット４の側面２ａ，４ａに取り付けられて、上面３２ｂが本体１０の底板１２及び側板１１を支持している。そして、引き出し２０が取り外された状態で、図２に二点鎖線で示すように、底板１２は矢印ａ方向へ引き出し可能とされている。
【００３３】
一方、引き出し２０は、左右一対の側板（図２に左側のみ示す）２１，２１と、両側板２１，２１間の下方に架設された底板２２と、両側板２１，２１間の後方に架設された背板２３と、両側板２１，２１間の前方に架設された本体１０の前面を覆う前板２４とを有しており、上面が開口されている。
【００３４】
そして、第１及び第２ベースキャビネット４，５の上面を、カウンター６が覆っている。その場合、カウンター６は、前記Ｌ型部材３２とは別なる短尺のＬ型部材３３…３３を使用して、両側板１１，１１にビス３１Ｃ…３１Ｃで固定されている。
【００３５】
次に、施工方法の一例について、図２及び図３を用いつつ、第２ベースキャビネット５やカウンター６の組み付けを中心に説明する。
【００３６】
まず、第２ベースキャビネット５に先立って、この第２ベースキャビネット５に隣接することになる左右両側の食器棚２と第１ベースキャビネット４とが、すでに設置されている。そして、食器棚２及び第１ベースキャビネット４の側面２ａ，４ａにおいて、第２ベースキャビネット５が架設されたときに、その底板１２ないし本体１０を支持する高さ位置となる箇所に、長尺のＬ型部材３２，３２をビス３１Ｂ…３１Ｂで取り付ける。
【００３７】
次いで、Ｌ型部材３２，３２の上面３２ｂ，３２ｂに、底板１２が取り外された状態の本体１０を載置する。すなわち、Ｌ型部材３２，３２の上面３２ｂ，３２ｂは、両側板１１，１１を介して本体１０を支持する。
【００３８】
次いで、本体１０の両側板１１，１１と食器棚２及び第１ベースキャビネット４の側面２ａ，４ａとを、ビス３１Ａ…３１Ａで固定する。従来の作業方法によれば、本体１０の重量を手で支えつつ固定する場合には、作業者の負担が大きく、また、本体１０を仮止めした上で固定する場合には、作業が面倒であったが、本実施の形態によれば、本体１０の重量は、施工後に底板１２を支持するためのＬ型部材３２，３２で支持されているので、本体１０の食器棚２及び第１ベースキャビネット４間への固定作業は容易である。
【００３９】
次いで、第１及び第２ベースキャビネット４，５の上面にカウンター６を載置する。第２ベースキャビネット５の場合には、固定された本体１０は、底板１２が取り外されて下方が開放されていることから、この開放された空間を利用して、本体１０の両側板１１，１１とカウンター６とを、短尺のＬ型部材３３…３３を使用して、ビス３１Ｃ…３１Ｃで固定する。
【００４０】
そして、最後に、食器棚２及び第１ベースキャビネット４の側面２ａ，４ａに取り付けられたＬ型部材３２，３２の上面３２ｂ，３２ｂに沿って、取り外していた底板１２を押し込んで、その後端部の切欠部１２ａを、本体１０後方の補助底板１５の切欠部１５ｂに係合させることにより、底板１２の後端部を補助底板１５の前端部に受支させる。
【００４１】
以上のように構成したことにより、底板１２は、Ｌ型部材３２，３２により前方へ引き出し可能に支持されているので、カウンター６の固定時には、底板１２を容易に取り外して本体１０の内方下方に広いスペースを形成することができ、もってカウンター６の固定作業が容易となる。そして、カウンター６の固定後に、再び本体１０に底板１２を取り付ける作業も容易である。
【００４２】
また、少なくとも縦面と上面とを有して底板１２を両側から支持する部材を、縦面３２ａが食器棚２及び第１ベースキャビネット４の側面２ａ，４ａに取り付けられて、上面３２ｂが底板１２を支持するＬ型部材３２で構成するので、該Ｌ型部材３２により底板１２を含む本体１０を良好に支持することができる。
【００４３】
また、このＬ型部材３２は、強度があって厚みが薄いことから、外観的に目立たなくなって、さらなる見栄えの向上を図ることができる。さらに、形状が単純で既製の部品であるＬ型部材３２を使用することができ、コストの高騰を回避することができる。
【００４４】
また、Ｌ型部材３２は、底板１２の引き出し方向ａに沿って延びているので、底板１２を前後に安定して移動させることができ、底板１２の取り外しや取り付けを円滑に行なうことができる。すなわち、Ｌ型部材３２の上面３２ｂに支持された底板１２を滑らせて、前方に引き出す際や後方に押し込む際に、底板１２が該Ｌ型部材３２から脱落することがなく、また、底板１２の重量を該Ｌ型部材３２が持続して受け止めることができるので、底板１２を小さい力で移動させることができる。
【００４５】
また、Ｌ型部材３２，３２で底板１２を左右両側から支持した上で、本体１０の背板１３の下部から前方に突出する補助底板１５で底板１２の後端部を支持するので、施工後の底板１２は、３辺を介して本体１０内に安定して支持される。
【００４６】
なお、図４に示すように、第２ベースキャビネット５を、食器棚２と壁面Ｗとの間に架設してもよいし、また、壁面Ｗとの間に板材を介在させた上で架設してもよい。このような場合にも、長尺のＬ型部材３２，３２を食器棚２の側面２ａと壁面Ｗとにビス３１Ｂ…３１Ｂで取り付けたことにより、カウンター６を載置して固定するときに、本体１０から底板１２を取り外したり取り付けたりすることが容易となる。
【００４７】
次に、他の実施の形態に係る第２ベースキャビネット５の構造について説明する。なお、前記実施の形態における各部材と共通あるいは類似する構成要素については、説明の複雑化を回避するため、特に混乱を招かない限り、同じ符号を付すことにする。
【００４８】
まず、図５に示す第２ベースキャビネット５は、前記図３に示したものと略同様の構成とされている。すなわち、この第２ベースキャビネット５は、本体１０と引き出し２０とを有し、左右両側の食器棚２及び第１ベースキャビネット４間に架設されており、また、第１及び第２ベースキャビネット４，５の上面を、カウンター６が覆っている。
【００４９】
そして、本体１０の両側の側板１１，１１の下端部は、前記図３に示した側板１１，１１より下方へ延長されており、Ｌ型部材３２，３２は、縦面３２ａ，３２ａが側板１１，１１の延長部１１ａ，１１ａにビス３１Ｂ…３１Ｂで取り付けられて、上面３２ｂ，３２ｂが底板１２を支持している。
【００５０】
以上のように構成したことにより、この場合にも、カウンター６の固定時には、底板１２を容易に取り外して本体１０の内方下方に広いスペースを形成することができ、カウンター６の固定作業が容易となる。その上で、少なくとも縦面と上面とを有して底板１２を両側から支持する部材を、縦面３２ａが側板１１に設けられた延長部１１ａに取り付けられて、上面３２ｂが底板１２を支持するＬ型部材３２で構成し、該Ｌ型部材３２の前方を引き出し２０の前板２４で覆う構成とするので、外観的に該Ｌ型部材３２が見え難くなって、見栄えの向上を図ることができる。
【００５１】
次に、図６及び図７に示す第２ベースキャビネット５は、本体１０と引き出し２０とを有し、左右両側の食器棚２及び第１ベースキャビネット４間に架設されており、また、第１及び第２ベースキャビネット４，５の上面を、カウンター６が覆っている。
【００５２】
そして、図６の場合には、本体１０の両側の側板１１，１１の下端部内面に、前後に延びる凹溝１１ｂ，１１ｂが設けらると共に、底板１２の左右両端部に、前記凹溝１１ｂ，１１ｂに嵌り込む前後に延びる凸条１２ｂ，１２ｂが設けられている。一方、図７の場合には、本体１０の両側の側板１１，１１の下端部内面に、前後に延びる凸条１１ｃ，１１ｃが設けられると共に、底板１２の左右両端部に、前記凸条１１ｃ，１１ｃに上方から係合する前後に延びる凸条１２ｃ，１２ｃが設けられている。
【００５３】
以上のように構成したことにより、本体１０の側板１１，１１に設けられた凹溝１１ｂ，１１ｂや凸条１１ｃ，１１ｃが底板１２を両側から支持する受け部を構成するので、該凹溝１１ｂ，１１ｂや凸条１１ｃ，１１ｃにより、底板１２を良好に支持することができる。そして、該凹溝１１ｂ，１１ｂや凸条１１ｃ，１１ｃが、底板１２の引き出し方向ａに沿って延びているので、底板１２を滑らせて、前方に引き出す際や後方に押し込む際に、底板１２が該凹溝１１ｂ，１１ｂや凸条１１ｃ，１１ｃから脱落することがなく、また、底板１２の重量を該凹溝１１ｂ，１１ｂや凸条１１ｃ，１１ｃが持続して受け止めることができるので、底板１２を小さい力で移動させることができる。さらに、部品点数の増加を招くことはなく、もってコストの高騰が回避される。
【００５４】
次に、図２における拡大図において二点鎖線で示すように、底板１２の左右両側部と各Ｌ型部材３２の上面３２ｂとを、例えば１本のビス３１Ｄで補助的に固定することができる。
【００５５】
以上のように構成したことにより、底板１２の左右両側部と各Ｌ型部材３２とは、固定されているので、カウンター６を固定するときの作業性をいたずらに損なうことなく、施工後の底板１２の脱落や意に反した移動が効果的に防止される。なお、この場合の固定は、前述したカバー部材の取り付けや取り外しのように多数のビスを扱うものではなく、少数のビス３１Ｄを使用するだけで事足りる補助的なものである。
【００５６】
次に、図８に示すように、Ｌ型部材３２に代えて、縦面３２ａ′，３２ａ″が一例として壁面Ｗに取り付けられて、上面３２ｂ′，３２ｂ″が本体１０の底板１２を支持する長尺の桟状部材３２′，３２″を使用することができる。その場合、図８（ａ）に示すように、断面が矩形の桟状部材３２′は、壁面Ｗに真直ぐにねじ込まれたビス３１Ｂで固定されている。一方、図８（ａ）に示すように、断面が異形の桟状部材３２″は、壁面Ｗに傾斜してねじ込まれたビス３１Ｂで固定されている。
【００５７】
以上のように構成した場合にも、前記Ｌ型部材３２と同様に、底板１２を良好に支持することができる。なお、Ｌ型部材３２や桟状部材３２′，３２″の材質は、第２ベースキャビネット５あるいは本体１０の底板１２を支持することができる強度を備えていればよく、金属製、木質製、樹脂製等が適用可能である。
【００５８】
なお、本発明は、具体的に詳述した前記実施の形態に限定されることはなく、本発明の趣旨に沿うものであればよい。
【００５９】
まず、第２ベースキャビネット５に使用する部材の材質等は、適宜選択することができ、例えば、第２ベースキャビネット５を構成する本体１０の底板１２の材質は、ＰＢ（パーティクルボード）、ＭＤＦ（中密度木質繊維板）、合板、ＬＶＬ（単板積層材）、または、これらを組み合わせた木質板、金属板、樹脂板等の中から、目的用途に応じて適宜選択可能である。
【００６０】
また、前述した図２に示したような底板１２と補助底板１５との間の受支構造であれば、底板１２と補助底板１５とを略同じ厚みとすることにより、受支箇所の上面及び下面に段差が生じなく、見栄えがよい。
【００６１】
また、Ｌ型部材３２や桟状部材３２′，３２″が前後に延びている場合、補助底板１５あるいは補助底板１５の切欠部１５ｂを省略してもよく、本体１０の底板１２は、前記Ｌ型部材３２や桟状部材３２′，３２″により安定して引き出し可能に支持される。
【００６２】
また、Ｌ型部材３２や桟状部材３２′，３２″は、前後に延びる一体物であったが、複数の短尺のものを適宜間隔で前後に亘って配設しても、同様の効果が得られる。さらに、補助底板１５が備えられている場合には、例えば左右両側の前方側に、短尺のものを一対だけ配設してもよい。
【００６３】
また、前記図２では、底板１２の左右両側部とＬ型部材３２とをビス３１Ｄで補助的に固定していたが、底板１２の後端部と補助底板１５の前端部とを、ビスやダボ等の固定手段を用いて補助的に固定してもよい。そして、図９に示す食器棚２と第１ベースキャビネット４との間に架設された第２ベースキャビネット５のように、本体１０と２つの引き出し２０，２０とを有し、本体１０内を前記引き出し２０，２０を収納可能に仕切る中仕切板１６が設けられている場合、Ｌ型部材３２，３２を介して引き出し可能に支持されている底板１２を、矢印Ａで示す箇所で、例えば図示しない１本のビスで下方から中仕切板１６に補助的に固定してもよい。なお、中仕切板１６は、背板１３と桟木１４とに固定されている。
【００６４】
その場合にも、カウンター６を固定するときの作業性をいたずらに損なうことなく、施工後の底板１２の脱落や意に反した移動が効果的に防止される。特に中仕切板１６を備えた場合には、併せて底板１２の下方への撓みも防止される。なお、前記補助的な固定手段として、例えば図２におけるビス３１Ｄに代えて、底板１２とＬ型部材３２の上面３２ｂとに貫通孔を設け、上方から該貫通孔に挿入することができるピンを使用してもよい。
【産業上の利用可能性】
【００６５】
以上説明したように、本発明によれば、引き出しキャビネットを左右両側の立面間に架設したのち、このキャビネットの上方にカウンターを固定する場合に、キャビネットの本体に備えられた底板を容易に取り外し可能とすることにより、カウンターの固定作業が容易な引き出しキャビネットの構造が提供される。すなわち、本発明は、キッチン、リビング、玄関等に設置される収納ユニットに使用される引き出しキャビネットの構造に関し、家具の技術分野に広く好適である。
【図面の簡単な説明】
【００６６】
【図１】本発明の実施の形態に係る収納ユニットの正面図である。
【図２】図１のＩＩ−ＩＩ線による拡大断面図である。
【図３】第２ベースキャビネットの正面図である。
【図４】第２ベースキャビネットを食器棚と壁面との間に架設した場合の正面図である。
【図５】他の実施の形態に係る第２ベースキャビネットの正面図であって、側板の延長部にＬ型部材を取り付けた場合を示す。
【図６】同じく側板と底板とを係合させる構成を示す。
【図７】同じく側板と底板とを係合させる構成を示す。
【図８】桟状部材を使用した場合の要部拡大図であって、（ａ）は断面が矩形の桟状部材を使用した状態、（ｂ）は断面が異形の桟状部材を使用した状態を示す。
【図９】中仕切板を備えた第２ベースキャビネットの正面図である。
【図１０】従来の収納ユニットの正面図である。
【図１１】同じく引き出しキャビネットを配設した場合の拡大正面図である。
【図１２】図１１のＸ方向からの矢視図である。
【符号の説明】
【００６７】
１        収納ユニット
２ａ，４ａ        側面（立面）
５        第２ベースキャビネット（引き出しキャビネット）
６        カウンター
１０      本体
１１      側板
１１ａ    延長部
１１ｂ    凹溝（受け部）
１１ｃ    凸条（受け部）
１２      底板
１３      背板
１５      補助底板
２０      引き出し
２４      前板
３１Ｂ    ビス（固定手段）
３２      Ｌ型部材（受け部、少なくとも縦面と上面とを有する部材）
３２′，３２″    桟状部材（受け部、少なくとも縦面と上面とを有する部材）
３２ａ，３２ａ′，３２ａ″    縦面
３２ｂ，３２ｂ′，３２ｂ″    上面
Ｗ        壁面（立面）
【図１】
0004731292.tif 000002
【図２】
0004731292.tif 000003
【図３】
0004731292.tif 000004
【図４】
0004731292.tif 000005
【図５】
0004731292.tif 000006
【図６】
0004731292.tif 000007
【図７】
0004731292.tif 000008
【図８】
0004731292.tif 000009
【図９】
0004731292.tif 000010
【図１０】
0004731292.tif 000011
【図１１】
0004731292.tif 000012
【図１２】
0004731292.tif 000013